(57)【要約】【課題】橋脚などの中空塔状のコンクリート構造物における剪断補強筋の定着に必要な部品数の削減、ひいては施工コストの削減を図る。【解決手段】中空塔状構造物１の内周部に埋設されると共に中空塔状構造物１のコーナー部１Ａで前記内周部から外周部へ向けて延在された内側剪断補強筋２１の端部が、中空塔状構造物１の外周部に埋設される外側剪断補強筋１１より内周側に位置し、コンクリート４０との定着手段２１ｂ，２４ａが設けられる。したがって、外側剪断補強筋１１に、内側剪断補強筋２１の端部を定着するための短尺鉄筋などの結合金具を取り付ける必要がなく、内側剪断補強筋２１の端部と前記結合金具を接合するための継手も不要になる。【選択図】図１
2010106630.tif 000002
【特許請求の範囲】
【請求項１】
中空塔状構造物の内周部に埋設されると共に前記中空塔状構造物のコーナー部で前記内周部から外周部へ向けて延在された内側剪断補強筋の端部が、前記中空塔状構造物の外周部に埋設される外側剪断補強筋より内周側に位置し、前記端部に、場所打ちコンクリートとの定着手段が設けられたことを特徴とする中空塔状構造物のコーナー部の配筋構造。
【請求項２】
コーナー部で互いに略直角に交差する内側剪断補強筋の端部のうちの一方が、継手を介して内側剪断補強筋の本体に接合された延長鉄筋からなることを特徴とする請求項１に記載の中空塔状構造物のコーナー部の配筋構造。
【請求項３】
定着手段が、コーナー部に軸方向に延在されたダボ鉄筋に掛止されることを特徴とする請求項１に記載の中空塔状構造物のコーナー部の配筋構造。
【請求項４】
定着手段が仮想平面に沿って屈曲した形状のフックからなり、前記仮想平面が、中空塔状構造物の軸方向と直交する断面に対して傾斜していることを特徴とする請求項１に記載の中空塔状構造物のコーナー部の配筋構造。
【請求項５】
定着手段が、内側剪断補強筋の端部を、表面に形成された多数の節が屈曲方向内側及び外側を向くように略Ｕ字形に曲げ加工したものであることを特徴とする請求項１に記載の中空塔状構造物のコーナー部の配筋構造。
【発明の詳細な説明】
【技術分野】
【０００１】
本発明は、コンクリート製の橋脚などのような中空塔状構造物におけるコーナー部の配筋構造に関する。
【背景技術】
【０００２】
鉄骨鉄筋コンクリート（ＳＲＣ）による中空の橋脚におけるコーナー部の配筋構造の典型的な従来技術が、下記の特許文献１及び特許文献２に開示されている。図１５は、これらの特許文献に開示されたものと近似した構造を有する従来の中空橋脚の施工過程を示す斜視図、図１６は、図１５の中空橋脚におけるコーナー部の配筋構造を示す水平断面図、図１７〜図１９は、従来の中空橋脚の施工手順を示す水平断面図である。
【０００３】
図１５に示されるように、従来、中空のＳＲＣ橋脚１００は、外周及び内周に、剪断補強筋が埋設されたプレキャストコンクリート型枠１０１，１０２を設置し、この型枠１０１，１０２の間に、補強材ユニット１０３を所定間隔で立設配置し、場所打ちコンクリート１０４を打設することによって施工される。補強材ユニット１０３はスパイラルカラムと呼ばれるものであって、Ｈ型鋼などの鉄骨１０３ａと、その周囲に平行に配置した複数の異形鉄筋１０３ｂと、この異形鉄筋１０３ｂの周囲にスパイラル状に巻き付けた細径のＰＣ鋼棒１０３ｃとからなるもので、補強材ユニット１０３におけるＰＣ鋼棒１０３ｃは、鉄骨１０３ａ及び異形鉄筋１０３ｂの座屈防止と、橋脚１００全体の中間帯鉄筋としての機能を兼備するものである。
【０００４】
図１６に示されるように、ＳＲＣ橋脚１００のコーナー部では、外側プレキャストコンクリート型枠１０１内の外側剪断補強筋１０１ａには、内側プレキャストコンクリート型枠１０２に埋設された内側剪断補強筋１０２ａの定着のために、機械的結合構造の定着具１０１ｂを有する短尺鉄筋１０１ｃが組み込まれており、互いに直角に衝合された内側プレキャストコンクリート型枠１０２（１０２Ａ，１０２Ｂ）のうち、一方の型枠１０２Ａに埋設された内側剪断補強筋１０２ａは、その端部が前記型枠１０２Ａの端縁から突出して、前記短尺鉄筋１０１ｃに継手１０１ｄを介して接合され、他端に継手１０２ｂを介して接合された延長鉄筋１０２ｃが、他の短尺鉄筋１０１ｃに継手１０１ｄを介して接合されている。
【０００５】
このＳＲＣ橋脚１００の施工は、まず図１７に示されるように、外側プレキャストコンクリート型枠１０１を設置し、この外側プレキャストコンクリート型枠１０１の外側剪断補強筋１０１ａにおける所定箇所に、定着具１０１ｂを介して短尺鉄筋１０１ｃを取り付け、前記プレキャストコンクリート型枠１０１の内周に沿って複数の補強材ユニット（スパイラルカラム）１０３を所定間隔で設置する。
【０００６】
次に図１８に示されるように、内側プレキャストコンクリート型枠１０２を設置し、互いに直角に衝合されるこの内側プレキャストコンクリート型枠１０２のうち一方のプレキャストコンクリート型枠１０２Ａの端部から、外側プレキャストコンクリート型枠１０１のコーナー部近傍へ向けて延在された内側剪断補強筋１０２ａの端部を、これと対向する位置で外側プレキャストコンクリート型枠１０１の外側剪断補強筋１０１ａに取り付けた短尺鉄筋１０１ｃに、継手１０１ｄを介して接合することにより定着する。
【０００７】
次に図１９に示されるように、コーナー部で互いに直角に衝合される内側プレキャストコンクリート型枠１０２のうち他方の内側プレキャストコンクリート型枠１０２Ｂの端部に露出した内側剪断補強筋１０２ａの他端に、一方のプレキャストコンクリート型枠１０２Ａの内側剪断補強筋１０２ａの端部と交差する延長鉄筋１０２ｃを継手１０２ｂを介して接合し、この延長鉄筋１０２ｃを、先に説明した図１６に示されるように、外側プレキャストコンクリート型枠１０１の外側剪断補強筋１０１ａに取り付けた他の短尺鉄筋１０１ｃに継手１０１ｄを介して接合することにより、内側剪断補強筋１０２ａを定着する。
【０００８】
ここで、内側プレキャストコンクリート型枠１０２（１０２Ａ，１０２Ｂ）は、クレーンにより設置される関係で鉛直方向に建て込むことしかできない。したがって、この内側プレキャストコンクリート型枠１０２に埋設された内側剪断補強筋１０２ａの両端を内側プレキャストコンクリート型枠１０２の端縁から延在させた場合は、クレーンによる鉛直方向への内側プレキャストコンクリート型枠１０２の建て込み過程で、内側剪断補強筋１０２ａの端部同士が橋脚１００のコーナー部内で交差して干渉し、建て込みができなくなるため、このようなことがないように、コーナー部で互いに直角に衝合される内側プレキャストコンクリート型枠１０２Ａ，１０２Ｂのうち少なくとも一方から突出した内側剪断補強筋１０２ａの端部は、他方から突出した内側剪断補強筋１０２ａと干渉しないように短くしてあり、内側プレキャストコンクリート型枠１０２Ａ，１０２Ｂの建て込み後に、内側剪断補強筋１０２ａの短いほうの端部に、継手１０２ｂを介して延長鉄筋１０２ｃを接合し、この延長鉄筋１０２ｃを外側プレキャストコンクリート型枠１０１の外側剪断補強筋１０１ａに取り付けた短尺鉄筋１０１ｃに継手１０１ｄを介して接合している。
【０００９】
しかしながら、このような配筋構造では、一つのコーナーにつき、一断面あたり３個の継手と、延長鉄筋１０２ｃが必要になり、ふつう、内側プレキャストコンクリート型枠１０２の内側剪断補強筋１０２ａと外側プレキャストコンクリート型枠１０１の外側剪断補強筋１０１ａは鉛直方向１５０ｍｍ間隔で設けられているため、これを互いに定着するための膨大な数の継手及び延長鉄筋が必要であり、その定着作業による施工の手間も膨大なものとなっていた。
【００１０】
【特許文献１】特許第３４２４０１２号
【特許文献２】特許第３４６３０７４号
【発明の開示】
【発明が解決しようとする課題】
【００１１】
本発明は、上述のような問題に鑑みてなされたもので、その技術的課題は、橋脚などの中空塔状のコンクリート構造物における剪断補強筋の定着に必要な部品数の削減、ひいては施工コストの削減を図ることにある。
【課題を解決するための手段】
【００１２】
上述の技術的課題を有効に解決するための手段として、請求項１の発明に係る中空塔状構造物のコーナー部の配筋構造は、中空塔状構造物の内周部に埋設されると共に前記中空塔状構造物のコーナー部で前記内周部から外周部へ向けて延在された内側剪断補強筋の端部が、前記中空塔状構造物の外周部に埋設される外側剪断補強筋より内周側に位置し、前記端部に、場所打ちコンクリートとの定着手段が設けられたものである。
【００１３】
また、請求項２の発明に係る中空塔状構造物のコーナー部の配筋構造は、請求項１に記載の構成において、コーナー部で互いに略直角に交差する内側剪断補強筋の端部のうちの一方が、継手を介して内側剪断補強筋の本体に接合された延長鉄筋からなるものである。
【００１４】
また、請求項３の発明に係る中空塔状構造物のコーナー部の配筋構造は、請求項１に記載の構成において、定着手段が、中空塔状構造物の軸方向に配置されたダボ鉄筋に掛止されるものである。
【００１５】
また、請求項４の発明に係る中空塔状構造物のコーナー部の配筋構造は、請求項１に記載の構成において、定着手段が仮想平面に沿って屈曲した形状のフックからなり、前記仮想平面が、中空塔状構造物の軸方向と直交する断面に対して傾斜しているものである。
【００１６】
また、請求項５の発明に係る中空塔状構造物のコーナー部の配筋構造は、請求項１に記載の構成において、定着手段が、内側剪断補強筋の端部を、表面に形成された多数の節が屈曲方向内側及び外側を向くように略Ｕ字形に曲げ加工したものである。
【発明の効果】
【００１７】
本発明に係る中空塔状構造物のコーナー部の配筋構造によれば、外側剪断補強筋に、内側剪断補強筋の端部を定着するための短尺鉄筋などの結合金具を取り付ける必要がなく、内側剪断補強筋の端部と前記結合金具を接合するための継手も不要になるので、剪断補強筋の定着に必要な部品数の削減、ひいては施工の手間や施工コストの削減を図ることができる。
【００１８】
また、コーナー部で互いに略直角に交差する内側剪断補強筋の端部のうちの一方が、継手を介して内側剪断補強筋の本体に接合された延長鉄筋からなるものとすれば、内側プレキャストコンクリート型枠の建て込み過程で、内側剪断補強筋の端部同士が交差して干渉することがない。
【００１９】
また、定着手段が、中空塔状構造物の軸方向に配置されたダボ鉄筋に掛止されるものとすることによって、安定した定着を行うことができる。
【００２０】
また、定着手段が仮想平面に沿って屈曲した形状のフックからなり、前記仮想平面が、中空塔状構造物の軸方向と直交する断面に対して傾斜していれば、構造物の躯体（場所打ちコンクリート）にフックに沿ってひび割れが発生しても、その拡大が有効に抑制される。
【００２１】
また、定着手段が、内側剪断補強筋の端部を、表面に形成された多数の節が屈曲方向内側及び外側を向くように略Ｕ字形に曲げ加工したものであれば、構造物の躯体（場所打ちコンクリート）に内側剪断補強筋に沿ったひび割れが発生しても、この内側剪断補強筋の抜け出し量を有効に低減することができる。
【発明を実施するための最良の形態】
【００２２】
以下、本発明に係る中空塔状構造物のコーナー部の配筋構造の好ましい実施の形態について、図面を参照しながら説明する。図１は、本発明に係る中空塔状構造物のコーナー部の配筋構造において、定着手段としてフックを用いた第一の形態を示す水平断面図、図２は、第一の形態で用いられるフックの例を示す平面図、図３は、フックの定着状態を示す図で、（Ａ）は平面図、（Ｂ）は（Ａ）におけるＢ−Ｂ断面図である。
【００２３】
図１に示される中空のＳＲＣ橋脚１は、外周及び内周にプレキャストコンクリート型枠１０，２０を設置し、この型枠１０，２０の間に、補強材ユニット３０を所定間隔で鉛直に立設配置し、場所打ちコンクリート４０を打設することによって施工される。補強材ユニット３０はスパイラルカラムと呼ばれるものであって、Ｈ型鋼などの鉄骨３１と、その周囲に平行に配置した複数の異形鉄筋３２と、この異形鉄筋３２の周囲にスパイラル状に巻き付けた細径のＰＣ鋼棒３３とからなるもので、補強材ユニット３０におけるＰＣ鋼棒３３は、鉄骨３１及び異形鉄筋３２の座屈防止と、橋脚１全体の中間帯鉄筋としての機能を兼備するものである。なお、橋脚１は、請求項１に記載された中空塔状構造物に相当するものである。
【００２４】
外周の壁面を構成する外側プレキャストコンクリート型枠１０は、鉛直投影形状が長方形をなすように複数衝合された状態に建て込まれている。各外側プレキャストコンクリート型枠１０には設置状態において水平となるように外側剪断補強筋１１が埋設されており、前記外側プレキャストコンクリート型枠１０の端縁から突出した外側剪断補強筋１１の端部は継手１２を介して互いに接合されている。
【００２５】
内周の壁面を構成する内側プレキャストコンクリート型枠２０は、鉛直投影形状が外側プレキャストコンクリート型枠１０よりも一回り小さい長方形をなすように複数衝合された状態に建て込まれている。各内側プレキャストコンクリート型枠２０には設置状態において水平となるように内側剪断補強筋２１が埋設されている。
【００２６】
橋脚１のコーナー部１Ａにおいて互いに直角に衝合された内側プレキャストコンクリート型枠２０（２０Ａ，２０Ｂ）のうち、型枠２０Ａに埋設された内側剪断補強筋２１は、その端部２１ａが前記型枠２０Ａの端縁から突出して、外側プレキャストコンクリート型枠１０の内面近傍へ延在されており、その先端部分に、定着手段としての略Ｕ字形のフック２１ｂが形成されている。
【００２７】
図２に示されるように、フック２１ｂは、内側剪断補強筋２１の端部２１ａを、その表面に形成された多数の節２１ｃが屈曲方向内側及び外側を向くように、仮想平面に沿って略Ｕ字形に曲げ加工したものである。そしてこのフック２１ｂは、図１に示されるように、コーナー部１Ａに設置された補強材ユニット３０，３０の間にこの補強材ユニット３０と略平行（軸方向）に配設されたダボ鉄筋２２に掛止された状態で場所打ちコンクリート４０内に定着され、図３（Ｂ）に示されるように、前記仮想平面（フック２１ｂの軸心を通る平面Ｘ）は、橋脚１の軸方向（ダボ鉄筋２２の延長方向）と直交する断面に対して傾斜している。
【００２８】
コーナー部１Ａにおいて互いに直角に衝合された内側プレキャストコンクリート型枠２０（２０Ａ，２０Ｂ）のうち、他方の型枠２０Ｂに埋設された内側剪断補強筋２１も、その端部２１ｃが前記型枠２０Ｂの端縁から突出しているが、その長さは、内側プレキャストコンクリート型枠２０Ａから突出したフック２１ｂ付きの内側剪断補強筋２１の端部２１ａと交差しない短いものとなっている。そしてこの短い端部２１ｃには、前記フック２１ｂ付きの内側剪断補強筋２１の端部２１ａと直交する延長鉄筋２４が、継手２３を介して接合されており、その先端部分に、定着手段としての略Ｕ字形のフック２４ａが形成されている。
【００２９】
延長鉄筋２４に形成されたフック２４ａも、内側剪断補強筋２１のフック２１ｂと同様のものであって、すなわち図２に示されるように、延長鉄筋２４の端部を、その表面に形成された多数の節２４ｂが屈曲方向内側及び外側を向くように、仮想平面に沿って略Ｕ字形に曲げ加工したものである。そしてこのフック２４ａも、コーナー部１Ａに設置された補強材ユニット３０，３０の間にこの補強材ユニット３０と略平行（軸方向）に配設されたダボ鉄筋２２に掛止された状態で場所打ちコンクリート４０内に定着され、図３（Ｂ）に示されるように、前記仮想平面（フック２４ａの軸心を通る平面Ｘ）は、橋脚１の軸方向（ダボ鉄筋２２の延長方向）と直交する断面に対して傾斜している。
【００３０】
図４〜図６は、上述した第一の形態による配筋構造を有する中空のＳＲＣ橋脚の施工手順を示すものである。
【００３１】
すなわちこの橋脚１の施工においては、まず図４に示されるように、複数の外側プレキャストコンクリート型枠１０を鉛直投影形状が長方形をなすように複数衝合された状態で建て込み、この外側プレキャストコンクリート型枠１０の両端縁から突出した外側剪断補強筋１１の端部同士を、継手１２を介して互いに接合する。そして、プレキャストコンクリート型枠１０の内周位置には、複数の補強材ユニット３０を所定間隔で設置する。
【００３２】
次に図５に示されるように、補強材ユニット３０の建て込み位置の内周側に、複数の内側プレキャストコンクリート型枠２０Ａ，２０Ｂを、鉛直投影形状が外側プレキャストコンクリート型枠１０よりも一回り小さい長方形をなすように複数衝合された状態で建て込む。この内側プレキャストコンクリート型枠２０Ａ，２０Ｂは、クレーンによって鉛直方向に建て込まれるが、一方の内側プレキャストコンクリート型枠２０Ｂから突出した内側剪断補強筋２１の端部は、これに互いに直角に衝合される他方の内側プレキャストコンクリート型枠２０Ａから突出した内側剪断補強筋２１の端部２１ａと干渉しないように短くしてあるため、円滑に建て込み作業を行うことができる。
【００３３】
なお、内側プレキャストコンクリート型枠２０は、鉛直投影形状が長方形をなすように複数衝合された状態に組んでから、補強材ユニット３０の建て込み位置の内周側へ一度に設置してもよい。
【００３４】
そして、コーナー部１Ａにおいて互いに直角に衝合された内側プレキャストコンクリート型枠２０Ａ，２０Ｂのうち、型枠２０Ａの端縁から突出した内側剪断補強筋２１の端部２１ａに形成されたフック２１ｂを通るように、コーナー部１Ａの補強材ユニット３０，３０の間に位置してダボ鉄筋２２を配置し、このダボ鉄筋２２にフック２１ｂを掛止させる。なお、このとき、先に説明した図３（Ｂ）に示されるように、フック２１ｂの軸心を通る平面Ｘは、ダボ鉄筋２２の延長方向と直交する断面に対して傾斜させる。
【００３５】
次に図６に示されるように、コーナー部１Ａにおいて互いに直角に衝合された内側プレキャストコンクリート型枠２０Ａ，２０Ｂのうち、型枠２０Ｂの端縁から短く突出した内側剪断補強筋２１の端部２１ｃに、継手２３を介して、型枠２０Ａ側の内側剪断補強筋２１の端部２１ａと直交する延長鉄筋２４を接合し、その先端に形成されたフック２４ａを通るように、コーナー部１Ａにおける型枠２０Ａ側のフック２１ｂと対称の位置で、補強材ユニット３０，３０の間に位置してダボ鉄筋２２を配置し、このダボ鉄筋２２にフック２４ａを掛止させる。なお、この場合も、先に説明した図３（Ｂ）に示されるように、フック２４ａの軸心を通る平面Ｘは、ダボ鉄筋２２の延長方向と直交する断面に対して傾斜させる。
【００３６】
上述のような作業によって型枠の組み立て及び配筋作業が終了したら、外側プレキャストコンクリート型枠１０と内側プレキャストコンクリート型枠２０の間の空間Ｓに不図示のコンクリートを打設する。補強材ユニット３０、各鉄筋２１，２２，２４及び継手１２，２３等は、このコンクリート（図１に示される場所打ちコンクリート４０）が水和反応によって硬化するのに伴い、この場所打ちコンクリート４０に一体化され、また、外側プレキャストコンクリート型枠１０及び内側プレキャストコンクリート型枠２０も場所打ちコンクリート４０に一体化される。
【００３７】
以上説明した配筋構造によれば、配筋作業の過程で、外側剪断補強筋１１に、従来のような結合金具を取り付ける必要がなく、内側剪断補強筋２１の端部と前記結合金具を接合するための膨大な数の継手も不要になるので、部品数の削減、ひいては施工の手間や施工コストの大幅な削減を図ることができる。
【００３８】
また、内側剪断補強筋２１の定着手段としてのフック２１ｂ，２４ａを軸方向に配置されたダボ鉄筋２２に掛止することによって、安定した定着を行うことができる。しかも図３（Ｂ）に示されるように、場所打ちコンクリート４０にフック２１ｂ，又は２４ａを通るひび割れＣが発生しても、ふつう、このようなひび割れＣは橋脚１の軸方向と直交する断面（水平面）に沿って成長するため、フック２１ｂ，２４ａの軸心を通る仮想平面Ｘが、橋脚１の軸方向と直交する断面に対して傾斜していることによって、ひび割れＣが発生してもフック２１ｂの抜け出しが抑制される。
【００３９】
また、フック２１ｂ，２４ａが、内側剪断補強筋２１（延長鉄筋２４）の端部を、その多数の節２１ｃ，２４ｂが屈曲方向内側及び外側を向くように曲げ加工されたものであるため、内側剪断補強筋２１（延長鉄筋２４）に沿ったひび割れが発生しても、この内側剪断補強筋２１（延長鉄筋２４）の抜け出しを有効に抑えることができる。
【００４０】
図７は、本発明に係る中空塔状構造物のコーナー部の配筋構造において、図１に示される第一の形態におけるフックに代えて、定着手段として鉄筋定着具を用いた第二の形態を示す水平断面図、図８〜図１２は、第二の形態で用いられる鉄筋定着具の例を示す説明図である。
【００４１】
すなわち、図７に示される第二の形態において、先に説明した第一の形態と異なるところは、図１のようなフック２１ｂ，２４ａに代えて、内側プレキャストコンクリート型枠２０Ａの端縁から突出した内側剪断補強筋２１の端部２１ａ及び内側プレキャストコンクリート型枠２０Ｂの端縁から突出した内側剪断補強筋２１に継手２３を介して接合された延長鉄筋２４の端部に、鉄筋定着具２５を取り付けたものである。
【００４２】
鉄筋定着具２５としては、図８に示されるように、内側剪断補強筋２１又は延長鉄筋２４の端部に取り付けられて場所打ちコンクリート４０内にしっかり定着させるための鍔部２５ａを有するボルト頭状のものや、図９に示されるように、前記鍔部２５ａにダボ鉄筋２２と掛合するための延長部２５ｂを形成したものや、図１０に示されるように、内側剪断補強筋２１の端部２１ａ又は延長鉄筋２４の端部に鍔状に一体形成したものや、その一部を延長して、図１１に示されるようにダボ鉄筋２２と掛合するための延長部２５ｃを形成したものや、図１２に示されるように、内側剪断補強筋２１又は延長鉄筋２４の端部にこぶ状に形成したものなど、種々の形態が考えられる。
【００４３】
また、図１３は、図１と同様の配筋構造を、通常の型枠により施工される橋脚のコーナー部に適用した第三の形態を示す水平断面図、図１４は、図１３におけるフックに代えて、定着手段として鉄筋定着具を用いた第四の形態を示す水平断面図である。
【００４４】
すなわち図１３に示される第三の形態において、中空のＳＲＣ橋脚１は、外周及び内周に型枠２，３を組み立て、この型枠２，３の間に、補強材ユニット３０を所定間隔で鉛直に立設配置し、場所打ちコンクリート４０を打設することによって施工される。補強材ユニット３０は、先に説明した図１と同様のものである。
【００４５】
詳しくは、この橋脚１の施工における配筋作業では、外側の型枠２と補強材ユニット３０との間に位置して外側剪断補強筋１１を配設し、内側の型枠３と補強材ユニット３０との間に内側剪断補強筋２１を配設する。各内側剪断補強筋２１は、コーナー部１Ａで互いに直角に交差して外側型枠２の内面近傍まで延在された端部に、定着手段としての略Ｕ字形のフック２１ｂが形成されており、このフック２１ｂを通るように、コーナー部１Ａの補強材ユニット３０，３０の間に位置してダボ鉄筋２２を配置し、このダボ鉄筋２２にフック２１ｂを掛止させる。
【００４６】
すなわちこの形態では、各内側剪断補強筋２１はプレキャストコンクリート型枠に一体に設けられたものと異なり、一方の内側剪断補強筋２１の端部を短くして延長鉄筋を接合する必要はない。
【００４７】
なお、この場合も、フック２１ｂの軸心を通る平面を、橋脚１の軸方向（ダボ鉄筋２２の延長方向）と直交する断面に対して傾斜させることが好ましい。
【００４８】
型枠２，３の組み立て及び配筋作業が終了したら、型枠２，３の間の空間に場所打ちコンクリート４０を打設する。補強材ユニット３０及び各鉄筋２１等は、コンクリート４０が水和反応によって硬化するのに伴い、この場所打ちコンクリート４０に一体化される。そして場所打ちコンクリート４０に所要の強度が発現されたら、型枠２，３を解体・撤去する。
【００４９】
この形態においても、配筋作業の過程で、外側剪断補強筋１１に従来のような結合金具を取り付ける必要がなく、内側剪断補強筋２１の端部と前記結合金具を接合するための膨大な数の継手も不要であるため、部品数の削減、ひいては施工の手間や施工コストの大幅な削減を図ることができ、第一の形態と同様の効果を奏することができる。
【００５０】
また、図１４に示される第四の形態において、上述した第三の形態と異なるところは、図１３のようなフック２１ｂに代えて、コーナー部１Ａで互いに直角に交差した内側剪断補強筋２１の端部に、それぞれ鉄筋定着具２５を取り付けたものである。
【００５１】
この場合も、鉄筋定着具２５としては、先に説明した図８〜図１２に示されるようなものを用いることができる。
【図面の簡単な説明】
【００５２】
【図１】本発明に係る中空塔状構造物のコーナー部の配筋構造において、定着手段にフックを用いた第一の形態を示す水平断面図である。
【図２】第一の形態で用いられるフックの例を示す平面図である。
【図３】第一の形態におけるフックの定着状態を示す図で、（Ａ）は平面図、（Ｂ）は（Ａ）におけるＢ−Ｂ断面図である。
【図４】第一の形態による配筋構造を有する中空橋脚の施工手順を示す水平断面図である。
【図５】第一の形態による配筋構造を有する中空橋脚の施工手順を示す水平断面図である。
【図６】第一の形態による配筋構造を有する中空橋脚の施工手順を示す水平断面図である。
【図７】本発明に係る中空塔状構造物のコーナー部の配筋構造において、定着手段として鉄筋定着具を用いた第二の形態を示す水平断面図である。
【図８】第二の形態で用いられる鉄筋定着具の例を示す説明図である。
【図９】第二の形態で用いられる鉄筋定着具の例を示す説明図である。
【図１０】第二の形態で用いられる鉄筋定着具の例を示す説明図である。
【図１１】第二の形態で用いられる鉄筋定着具の例を示す説明図である。
【図１２】第二の形態で用いられる鉄筋定着具の例を示す説明図である。
【図１３】図１と同様の配筋構造を、通常の型枠により施工される橋脚のコーナー部に適用した第三の形態を示す水平断面図である。
【図１４】図１３におけるフックに代えて、定着手段として鉄筋定着具を用いた第四の形態を示す水平断面図である。
【図１５】従来の中空橋脚の施工過程を示す斜視図である。
【図１６】図１５の従来の中空橋脚におけるコーナー部の配筋構造を示す水平断面図である。
【図１７】従来の中空橋脚の施工手順を示す水平断面図である。
【図１８】従来の中空橋脚の施工手順を示す水平断面図である。
【図１９】従来の中空橋脚の施工手順を示す水平断面図である。
【符号の説明】
【００５３】
１  橋脚（中空塔状構造物）
１Ａ  コーナー部
１０  外側プレキャストコンクリート型枠
１１  外側剪断補強筋
１２，２３  継手
２０（２０Ａ，２０Ｂ）  内側プレキャストコンクリート型枠
２１  内側剪断補強筋
２１ｂ，２４ａ  フック
２１ｃ  節
２２  ダボ鉄筋
２４  延長鉄筋
２５  鉄筋定着具
３０  補強材ユニット
４０  場所打ちコンクリート
【図１】
2010106630.tif 000003
【図２】
2010106630.tif 000004
【図３】
2010106630.tif 000005
【図４】
2010106630.tif 000006
【図５】
2010106630.tif 000007
【図６】
2010106630.tif 000008
【図７】
2010106630.tif 000009
【図８】
2010106630.tif 000010
【図９】
2010106630.tif 000011
【図１０】
2010106630.tif 000012
【図１１】
2010106630.tif 000013
【図１２】
2010106630.tif 000014
【図１３】
2010106630.tif 000015
【図１４】
2010106630.tif 000016
【図１５】
2010106630.tif 000017
【図１６】
2010106630.tif 000018
【図１７】
2010106630.tif 000019
【図１８】
2010106630.tif 000020
【図１９】
2010106630.tif 000021